(57)【要約】      （修正有）【課題】スリーブのリング状歯車部と削り刃の一端にある歯車部との接触面積が増大されて、刃物の構造強度が向上され、使用する時、より大きい回転力を耐えて、耐用寿命が向上される効果が得られる。【解決手段】一端に、一側面に長穴がある鉛筆挿入部１１があり、もう一端にシャフト１２があり、一側において、両端の近くに、それぞれ対応するタブ１３、可動的に上記の二つのタブの間にセット１に平行するように設けられ、螺旋刃部２２と螺旋刃部の一端に設けられた歯車部２３が備えられる削り刃２と、上記のセットのシャフトに可動的に結合され、内面に削り刃の歯車部に噛合うリング状歯車部３１が設けられるスリーブ３が含有される。【選択図】図４
0003140427.tif 000002
【実用新案登録請求の範囲】
【請求項１】
一端に、鉛筆挿入部があり、もう一端にシャフトがあり、該鉛筆挿入部の一側面に長穴があり、また、一側において、両端の近くに、それぞれ対応するタブが伸ばすセットと、可動的に上記の二つのタブの間にセットに平行するように設けられ、螺旋刃部と螺旋刃部の一端に設けられた歯車部が備えられる削り刃と、上記のセットのシャフトに可動的に結合され、内面に削り刃の歯車部に噛合うリング状歯車部が設けられるスリーブが含有されることを特徴とする、鉛筆削り器の刃物構造。
【請求項２】
該鉛筆挿入部が、シャフトの方向へ向かって縮小することを特徴とする、請求項１に記載の鉛筆削り器の刃物構造。
【請求項３】
各タブに、それぞれ貫通穴が形成されることを特徴とする、請求項１に記載の鉛筆削り器の刃物構造。
【請求項４】
該削り刃の中央に、両端が、それぞれ可動的に各タブ上に設置されたスピンドルが設けられることを特徴とする、請求項１に記載の鉛筆削り器の刃物構造。
【考案の詳細な説明】
【技術分野】
【０００１】
本考案は、鉛筆削り器の刃物構造に関し、特に、スリーブと削り刃との接触面積が増大され、刃物の構造強度が向上されるものに関する。
【背景技術】
【０００２】
従来の鉛筆削り器の刃物は（図１のように）、鉛筆挿入部４１を有するセット４があり、該セット４の一側に斜めに可動的に螺旋刃部５が設けられ、該螺旋刃部５の一端に歯車５１があり、該セット４が可動的にスリーブ６に結合され、該スリーブ６の内面に、歯車５１に噛合うリング状歯車部６１が設けられ、これにより、必要とする鉛筆削り器に合わせて、鉛筆が鉛筆挿入部４１に挿入された後、該セット４を転動して、セット４により螺旋刃部５が連動され、螺旋刃部５の一端にある歯車部５１が、スリーブ６のリング状歯車部６１上を循環に転動し、また、螺旋刃部５により、鉛筆挿入部４１に位置する鉛筆を研削する。
【０００３】
上記の従来の鉛筆削り器の刃物は、鉛筆を研削する効果が得られるが、該螺旋刃部５が斜めにセット４の一側に設けられ、該螺旋刃部５の一端の歯車５１がスリーブ６のリング状歯車部６１に噛合う時、該歯車５１とリング状歯車部６１との両者の接触面積が比較的に小さいため、歯車５１とリング状歯車部６１との噛合い面Ｂが不足になり、より良い支持が得られず、そのため、該刃物の構造強度が悪くて、長期に使用すると、リング状歯車部６１が比較的な回転力を耐えなく、摩損になる。
【考案の開示】
【考案が解決しようとする課題】
【０００４】
本考案の主な目的は、スリーブのリング状歯車部と削り刃の一端にある歯車部との接触面積が増大されて、刃物の構造強度が向上され、使用する時、より大きい回転力を耐えて、耐用寿命が向上される効果が得られる鉛筆削り器の刃物構造を提供する。
【課題を解決するための手段】
【０００５】
請求項１の考案は、一端に鉛筆挿入部があり、もう一端にシャフトがあり、該鉛筆挿入部の一側面に長穴があり、また、該セットの一側において、両端の近くに、それぞれ対応するタブが伸ばすセットと、可動的に上記の二つのタブの間に、セットに平行するように設けられ、螺旋刃部と螺旋刃部の一端に設けられた歯車部が備えられる削り刃と、上記のセットのシャフトに可動的に結合され、内面に削り刃の歯車部に噛合うリング状歯車部が設けられるスリーブが含有されることを特徴とする、鉛筆削り器の刃物構造である。
【０００６】
請求項２の考案は、該鉛筆挿入部がシャフトの方向へ向かって縮小することを特徴とする、請求項１に記載の鉛筆削り器の刃物構造である。
【０００７】
請求項３の考案は、各タブに、それぞれ貫通穴が形成されることを特徴とする、請求項１に記載の鉛筆削り器の刃物構造である。
【０００８】
請求項４の考案は、該削り刃の中央に、両端が、それぞれ可動的に各タブ上に設置されたスピンドルが設けられることを特徴とする、請求項１に記載の鉛筆削り器の刃物構造である。
【考案を実施するための最良の形態】
【０００９】
図２乃至４のように、本考案は、少なくとも、セット１と削り刃２及びスリーブ３から構成される。
【００１０】
該セット１は、一端に鉛筆挿入部１１があり、もう一端にシャフト１２があり、該鉛筆挿入部１１がシャフトの方向へ向かって縮小し、また、該鉛筆挿入部１１の一側面上に長穴１１１があり、該セット１の一側において、両端の近くに、それぞれ対応するタブ１３が伸ばし、各タブ１３上に、それぞれ貫通穴１３１がある。
【００１１】
該削り刃２は、中央にスピンドル２１が貫設され、該スピンドル２１の両端が、それぞれ上記の二つのタブ１３の貫通穴１３１に貫設され、これにより、該削り刃２が可動的に二つのタブ１３同士の間に、またセット１に平行するように設置され、該削り刃２は、螺旋刃部２２と螺旋刃部２２の一端に設置される歯車部２３が備えられる。
【００１２】
該スリーブ３は、上記のセット１のシャフト１２に可動的に結合され、また、内面に、削り刃２に設置された歯車部２３に噛合うリング状歯車部３１が設けられる。上記の構造により、新規の鉛筆削り器の刃物構造が構成される。
【００１３】
本考案によれば、電動式や手動式の鉛筆削り器に適用でき、また、該セット１に、電力駆動装置やクランクハンドルが結合され（図に未表示）、使用する時、鉛筆を鉛筆挿入部１１に挿入してから、セット１を転動させ、セット１により、その一側にある削り刃２が連動され、削り刃２の一端にある歯車部２３がスリーブ３のリング状歯車部３１上を循環に転動し、これにより、長穴１１１を通過した該削り刃２上の螺旋刃部２２が、鉛筆挿入部１１に位置する鉛筆を研削でき、また、該削り刃２が、二つのタブ１３によりセット１に平行するため、該削り刃２の一端にある歯車部２３が、より大きい面積でスリーブ３のリング状歯車部３１に噛合い、そのため、歯車部２３とリング状歯車部３１との噛合い面Ａが増大され、削り刃２が転動する時、より大きい回転力を耐え、該刃物の構造強度が向上される。
【００１４】
本考案に係わる鉛筆削り器の刃物構造によれば、スリーブのリング状歯車部と削り刃の一端にある歯車部との接触面積が増大されるため、刃物の構造強度が向上され、使用する時、より大きい回転力を耐えるから、より良い耐用寿命の効果が得られる。
【図面の簡単な説明】
【００１５】
【図１】従来の形態の断面概念図
【図２】本考案の立体外観概念図
【図３】本考案の立体分解概念図
【図４】本考案の形態の断面概念図
【符号の説明】
【００１６】
従来
４      セット
４１    鉛筆挿入部
５      螺旋刃部
５１    歯車
６      スリーブ
６１    リング状歯車部
Ｂ      噛合い面
本考案
１      セット
１１    鉛筆挿入部
１１１  長穴
１２    シャフト
１３    タブ
１３１  貫通穴
２      削り刃
２１    スピンドル
２２    螺旋刃部
２３    歯車部
３      スリーブ
３１    リング状歯車部
Ａ      噛合い面
【図１】
0003140427.tif 000003
【図２】
0003140427.tif 000004
【図３】
0003140427.tif 000005
【図４】
0003140427.tif 000006